(57)【特許請求の範囲】
【請求項１】
外壁面材の背面側にパネルフレームが備えられた外壁パネルにおいて、
外壁面材の背面側とパネルフレームとのいずれか一方に掛止用の凸が設けられると共に、他方にこの掛止用凸を掛止させる受けが設けられ、
凸と受けとは、それらの掛止状態において、外壁面材とパネルフレームとが外壁面材の面と直交する方向に分離してしまうのを規制すると共に、外壁面材がパネルフレームに対し相対的に下方に移動してしまうのを規制する態様の、掛脱可能なものからなり、かつ、
前記凸と受けとの掛止状態において、パネルフレームと外壁面材とは、それらの間に介在させた熱可塑性接着剤で接着一体化されていることを特徴とする外壁パネル。
【請求項２】
建物にパネルフレームが取り付けられ、このパネルフレームに外壁面材が取り付けられている外壁構造において、
外壁面材の背面側とパネルフレームとのいずれか一方に掛止用の凸が設けられると共に、他方にこの掛止用凸を掛止させる受けが設けられ、
凸と受けとは、それらの掛止状態において、外壁面材とパネルフレームとが外壁面材の面と直交する方向に分離してしまうのを規制すると共に、外壁面材がパネルフレームに対し相対的に下方に移動してしまうのを規制する態様の、掛脱可能なものからなり、かつ、
前記凸と受けとの掛止状態において、パネルフレームと外壁面材とは、それらの間に介在させた熱可塑性接着剤で接着一体化されていることを特徴とする外壁構造。
【発明の詳細な説明】
【０００１】
【発明の属する技術分野】
本発明は、外壁パネル、外壁構造及び外壁面材に関する。
【０００２】
【従来の技術】
建物躯体への外壁パネルの取付けは、外壁面材の背面側に取り付けられたパネルフレームを建物躯体に取り付けることにより行われる。
【０００３】
【発明が解決しようとする課題】
しかるに、建物に取り付けた外壁パネルのうちの外壁面材のみに劣化を生じたような場合、あるいは、デザイン的な理由により外壁面材のみを交換したいというような場合に、パネルフレームは残したまま、外壁面材のみを交換できればよいのであるが、外壁面材のみの交換は一般的にはできないようになっており、あるいは、交換できるとしてもその交換は容易にはできない構造になっている。
【０００４】
本発明は、上記のような技術背景のなかで、外壁面材のみを容易に交換することができる構造の外壁パネル等を提供することを課題とする。
【０００５】
【課題を解決するための手段】
上記の課題は、外壁面材の背面側にパネルフレームが備えられた外壁パネルにおいて、
外壁面材の背面側とパネルフレームとのいずれか一方に掛止用の凸が設けられると共に、他方にこの掛止用凸を掛止させる受けが設けられ、
凸と受けとは、それらの掛止状態において、外壁面材とパネルフレームとが外壁面材の面と直交する方向に分離してしまうのを規制すると共に、外壁面材がパネルフレームに対し相対的に下方に移動してしまうのを規制する態様の、掛脱可能なものからなり、かつ、
パネルフレームと外壁面材とは、それらの間に介在させた熱可塑性接着剤で接着一体化されていることを特徴とする外壁パネルによって解決される。
【０００６】
この外壁パネル構造では、建物に取り付けられた外壁パネルに対し、その外壁面材のみを次のようにして容易に交換することができる。
【０００７】
即ち、外壁面材の取外しは、例えば、屋外の側から、高周波誘導加熱装置などの加熱手段を用いて、外壁面材とパネルフレームとを接着している熱可塑性接着剤を加熱して溶融ないしは軟化させる。この溶融、軟化状態において、外壁面材は、凸と受けとの掛止作用によってパネルフレームに保持されているから、落下してしまうことはない。そして、接着剤のこの溶融、軟化状態において、凸と受けとの掛止状態を解除すれば、パネルフレームを建物に残したまま、外壁面材のみを取り外すことができる。
【０００８】
しかる後、新たな外壁面材を用い、この外壁面材を、掛止用の凸と受けとを掛止状態にして、建物に残されているパネルフレームに取り付ける。そして、外壁面材の背面側及び／又はパネルフレームに取り付けられているあるいは取り付けた熱可塑性接着剤を、屋外などから高周波誘導加熱装置などを用いて、溶融ないしは軟化状態にし、新たな外壁面材をパネルフレームに接着固定する。
【０００９】
このように、本発明の外壁パネルは、外壁面材とパネルフレームとを掛止手段によって掛脱できる構造となっており、しかも、熱で接着状態を解除しうる熱可塑性接着剤で接着して固定する構造となっているものであるから、外壁面材のみの交換を容易に行うことができる。
【００１０】
しかも、この外壁パネルでは、万一の火災によって熱可塑性接着剤が溶融ないしは軟化しても、外壁パネルは凸と受けとの掛止作用によってパネルフレームにしっかりと保持されるから、火災時に、外壁面材のみが建物から脱落してしまうこともなく、非常に安全である。
【００１１】
加えて、外壁面材は単にパネルフレームに掛止されているだけではなく、熱可塑性接着剤で固定されているから、地震や台風などで外壁面材がぐらつき、動いてしまうというようなこともない。
【００１２】
また、上記の課題は、建物にパネルフレームが取り付けられ、このパネルフレームに外壁面材が取り付けられている外壁構造において、
外壁面材の背面側とパネルフレームとのいずれか一方に掛止用の凸が設けられると共に、他方にこの掛止用凸を掛止させる受けが設けられ、
凸と受けとは、それらの掛止状態において、外壁面材とパネルフレームとが外壁面材の面と直交する方向に分離してしまうのを規制すると共に、外壁面材がパネルフレームに対し相対的に下方に移動してしまうのを規制する態様の、掛脱可能なものからなり、かつ、
パネルフレームと外壁面材とは、それらの間に介在させた熱可塑性接着剤で接着一体化されていることを特徴とする外壁構造によって同様に解決される。
【００１３】
更に、上記課題は、背面側にパネルフレームが取り付けられる外壁面材において、
背面側に、パネルフレームへの掛止のための凸又は受けが設けられると共に、
同じく背面側に、パネルフレームを接着させる熱可塑性接着剤が設けられていることを特徴とする外壁面材によって解決される。
【００１４】
また、金属板の両面に熱可塑性接着剤が設けられている熱可塑性接着部材を用い、一方の面の熱可塑性接着剤で外壁面材を接着し、もう一方の面の熱可塑性接着剤でパネルフレームを接着して、外壁面材とパネルフレームとを接着する構造を採用するときは、パネルフレームが、金属からなる場合はもとより、金属以外の例えば木や樹脂などからなる場合であっても、外壁面材のみの取外しにおいて、高周波誘導加熱装置で熱可塑性接着剤を溶融、軟化状態にして接着を解除したり、接着したりことができる。このように、この接着部材を用いれば、外壁面材とパネルフレームとの接着の場合に限らず、部材と部材との接着及び／又は接着解除を部材の材質とは無関係に高周波誘導加熱装置で行うことができる。
【００１５】
【発明の実施の形態】
次に、本発明の実施形態を図面に基づいて説明する。
【００１６】
図１及び図２の第１実施形態の外壁パネル１において、２は外壁面材、３はパネルフレームである。外壁面材２は、例えば、珪酸カルシウム板などからなる。パネルフレーム３は、鋼製のもので、図２（ロ）に示すように、例えば、４本の溝形鋼３ａ，３ａ，３ｂ，３ｂを、その開口側を内向きにして、方形環状に組んだものなどからなり、その内部には、ブレース４などが入れられている。
【００１７】
そして、このパネルフレーム３において、外壁面材２と合わされる側の面に、掛止用の受けとしての孔５…が分散状態に設けられている。各孔５は、図１（ハ）に示すように、円形孔部５ａと、この円形孔部５ａの下縁部から下方に延びるスリット部５ｂとからなる鍵穴状のものからなる。これらの孔５…は、左右の縦フレーム材３ｂ，３ｂにそれぞれ、上下方向に間隔をおいて合計５つ形成されており、また、上下の横フレーム材３ａ，３ａにもそれぞれそれらの長さ方向の中央部に１つづつ形成されている。
【００１８】
一方、外壁面材２の背面部には、図２（イ）に示すように、パネルフレーム３の孔５…の位置に対応して、後方に突出する掛止用の凸６…が設けられている。各掛止用凸６は、図１（ロ）（ハ）に示すように、その先端頭部６ａが基端側６ｂよりもサイズ大に形成されていて、この先端頭部６ａは、パネルフレーム３の孔５の円形孔部５ａを出入りできるが、スリット部５ｂを通じては出入りできないサイズに形成されている。また、掛止用凸６の基端側６ｂは、掛止用孔５のスリット部５ｂを通過しうるサイズに形成されている。
【００１９】
この掛止用凸６は、例えば、ビスを外壁面材２の背面側に打つことなどで形成することができるが、ビス打ちに限らず、各種態様で外壁面材２の背面側に備えられていてよい。ただ、外壁面材２の背面側からの施工で設けることができる態様のものであるのが、外壁パネル１の製作面において、外壁面材２を反転させることなく、例えば背面側を上にしたままで、掛止用凸６を外壁面材２に形成することができるなどの理由から好ましい。
【００２０】
そして、外壁面材２の背面部には、パネルフレーム３のフレーム材３ａ，３ａ，３ｂ，３ｂと対面する領域において、熱可塑性接着剤７ができるだけ広い範囲にわたって設けられている。
【００２１】
外壁パネル１は、上記の外壁面材２とパネルフレーム３とを用い、図１（ロ）に示すように、外壁面材２の背面部に備えられている掛止用凸６の先端頭部６ａを、パネルフレーム３の掛止用孔５の円形孔部５ａを通じて中に差し込み、そして、パネルフレーム３と外壁面材２とを相対変位させて、掛止用凸６の基端側６ｂを掛止用孔５のスリット部５ｂの最下部に配置する。これにより、外壁面材２とパネルフレーム３とは、これらを立てた状態において、外壁面材２の面と直交する方向に分離してしまうのが規制すると共に、外壁面材２がパネルフレームに対し相対的に下方に移動してしまうのも規制される。
【００２２】
そして、この掛止状態において、外壁面材２とパネルフレーム３とを合わせるようにして外壁面材２の背面部の熱可塑性接着剤７をパネルフレーム３と接触状態にし、熱可塑性接着剤７に熱を付与する。すると、外壁面材２とパネルフレーム３とは熱可塑性接着剤７によって一体化され、外壁面材２とパネルフレーム３とが一体化された本来の外壁パネル１に製作される。
【００２３】
なお、外壁面材２とパネルフレーム３とは、工場からの出荷時において既に掛止と接着がなされていてもよいし、工場からの出荷時には別々で、現場において外壁面材２とパネルフレーム３との掛止と接着が行われてもよい。
【００２４】
上記のような構造を有する外壁パネル１において、何らかの理由、例えば外壁面材２の劣化、あるいは外壁面材２の意匠上の理由により、パネルフレーム３を建物に残したまま、外壁面材２のみを交換する必要を生じた場合には、図３及び図４（ニ）示すようにして交換することができる。即ち、図３（イ）（ロ）に示すように、例えば屋外の側から、高周波誘導加熱装置８を外壁面に沿わせて移動させていくことで、外壁面材２とパネルフレーム３とを接着している熱可塑性接着剤７を溶融ないしは軟化状態にする。このとき、外壁面材２は掛止用の凸６と受け５とでしっかり掛止されているから、外壁面材２を外から支えておく必要はなく、ただ、加熱していきさえすればよい。
【００２５】
しかる後、図３（ハ）に示すように、外壁面材２を外から上昇変位させる。これにより、掛止用の凸６の基端側６ｂが掛止用孔５の円形孔部５ａ内に入り、その状態で、外壁面材２を屋外側に変位させることで、掛止用凸６の先端頭部６ａが掛止用孔５から抜け、パネルフレーム３を建物に残したまま、外壁面材２のみが建物から取り外される。
【００２６】
そして、図４（ニ）（ホ）に示すように、用意しておいた新たな外壁面材２を、掛止用の凸６と孔５とを利用して、建物に残されているパネルフレーム３に掛止する。掛止用の凸の先端部を孔５の円形孔部５ａの奥方に差し込むことができれば、あとは、外壁面材２の自重によって掛止用凸６の基端側６ｂを孔５のスリット部５ｂ内の最下部に位置させることができ、掛止を施工上容易に行うことができる。
【００２７】
そして最後に、図４（へ）に示すように、外壁面材２の背面側をパネルフレーム３と合わせるようにして、外壁面材２の外側から高周波誘導加熱装置８を外壁面に沿わせて移動させ、外壁面材２の背面側に備えられている熱可塑性接着剤７を溶融ないしは軟化状態にし、パネルフレーム３と外壁面材２とを接着一体化する。以上のようにして、外壁面材２のみを容易に交換することができる。
【００２８】
上記の外壁パネル１では、火災により、不本意にも熱可塑性接着剤７が溶融ないしは軟化し、外壁面材２とパネルフレーム３との接着が切れても、掛止用凸６と孔５との掛止状態は生きていて、その掛止作用によって外壁面材２が脱落してしまうのを防ぐことができる。また、火災に限らず、何らかの理由によって外壁面材２とパネルフレーム３との接着が切れても、掛止用凸６と孔５との掛止作用によって、外壁面材２が脱落することはない。
【００２９】
しかも、外壁面材２とパネルフレーム３とは、凸６と孔５とで掛止するだけでなく、熱可塑性接着剤７で接着して一体化しているので、外壁面材２が地震や台風などでぐらつきを生じることはなく、高い固定度を得られる。
【００３０】
更に、本発明の外壁パネル１は、外壁面材２の交換の場合のみならず、パネルフレーム３を建物に残したまま外壁面材２のみを一旦取り外し、壁の内部を検査などし、再度その外壁面材２を取り付けて元に戻すというようなことも行うことができるし、また、パネルフレーム３のみが劣化し、外壁面材２は再使用可能な場合に、パネルフレーム３のみを交換する場合にも非常に便利に対応することができる。
【００３１】
図５に示す第２実施形態の外壁パネルは、掛止用の凸６が外壁面材２の背面上部の左右２箇所のみに取り付けられている。また、それに対応してパネルフレーム３には、その上部の左右２箇所に掛止用の孔５が設けられている。そして、外壁面材２とパネルフレーム３とは、これら掛止用の凸６と孔５とを掛止状態にして、熱可塑性接着剤７で接着一体化されている。このような外壁パネル１において、火災などによって、外壁面材２とパネルフレーム３との接着が切れても、外壁面材２はパネルフレーム３に掛止されているから、外壁面材２が脱落してしまうことはない。しかも、互いに間隔をおく複数箇所が掛止されているので、接着剤が切れた場合に外壁面材が不本意な振り子運動を起こすこともない。
【００３２】
なお、外壁面材２の脱落を防止するという視点からは、少なくとも一箇所、例えば上部中央部などの一箇所を掛止するようにしてもよく、それで外壁面材２の脱落防止は可能である。ただ、掛止箇所を少なくすると、熱可塑性接着剤や掛止箇所、外壁面材２、パネルフレーム３等への局部的な力学的負担が大きくなることから、その意味では、第１実施形態の場合のように、一つの外壁パネル１においてできるだけ多くの掛止箇所を設けるようにするのもよい。
【００３３】
以上に、本発明の実施形態を示したが、本発明はこれに限られるものではなく、発明思想を逸脱しない範囲で各種の変更が可能である。例えば、外壁面材２やパネルフレーム、掛止用の凸、受け等として各種態様のものが用いられてよい。また、外壁面材２とパネルフレーム３との掛止部については、パネルフレーム３の側の掛止用の凸を設け、外壁面材２の側に掛止用の受けを設けるようにしてもよい。また、外壁面材の背面に備えさせた下地材にパネルフレームを取り付けるタイプの外壁パネルに適用することも可能であり、その場合には、熱可塑性接着剤は、下地材とパネルフレームとの接着などに用いればよい。また、熱可塑性接着剤はパネルフレームの側に設けられていてもよいし、パネルフレームと外壁面材の両方に設けられていてもよい。
【００３４】
また、パネルフレームが木や樹脂などのような金属でないものからなるような場合には、図６に示すように、金属板１０の両面に熱可塑性接着剤７，７が設けられた熱可塑性接着部材１１を用いるのもよい。この接着部材１１では、高周波誘導加熱装置で金属板１０を加熱し、それによって、その両面の熱可塑性接着剤７，７を溶融ないしは軟化状態にして、接着と接着解除を行うことができる。
【００３５】
【発明の効果】
本発明は、以上のとおりのものであるから、外壁面材のみを容易に交換することができる。しかも、万一の火災時も外壁パネルが脱落してしまうこともなく、また、外壁面材をぐらつきのない高い固定度で取り付けることができる。
【図面の簡単な説明】
【図１】第１実施形態の外壁パネルを示すもので、図（イ）は側面図、図（ロ）は掛止箇所の拡大斜視図、図（ハ）は掛止用の孔と凸との関係を示す正面図である。
【図２】図（イ）は外壁面材の背面図、図（ロ）はパネルフレームの内面図である。
【図３】図（イ）乃至図（ハ）は、図４とともに、外壁面材の交換の工程を順次に示す側面図である。
【図４】図（ニ）乃至図（へ）は、図３とともに、外壁面材の交換の工程を順次に示す側面図である。
【図５】第２実施形態を示すもので、図（イ）は外壁面材の背面図、図（ロ）はパネルフレームの内面図である。
【図６】熱可塑性接着部材の断面図である。
【符号の説明】
１…外壁パネル
２…外壁面材
３…パネルフレーム
５…孔（掛止用の受け）
６…掛止用の凸
７…熱可塑性接着剤
【図１】
0004387574.tif 000002
【図２】
0004387574.tif 000003
【図３】
0004387574.tif 000004
【図４】
0004387574.tif 000005
【図５】
0004387574.tif 000006
【図６】
0004387574.tif 000007